【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
プリンタが製本印刷を実行することを示す指示を含む印刷ジョブを生成する情報処理装置であって、
前記製本印刷を実行する時に、プレプリント用紙の背景画像上に配置される特定のページが、配置される位置を特定する特定手段と、
前記特定手段によって特定された位置において、前記プレプリント用紙の背景画像上に前記特定のページが印刷されるように、前記プリンタに格納されている複数のプレプリント用紙の中から印刷に使用されるプレプリント用紙を選択する選択手段と、
前記プリンタが前記選択手段によって選択されたプレプリント用紙を用いて印刷するような印刷ジョブを生成する生成手段を有し、
前記特定手段によって特定される位置は、用紙の表面の右側、および、用紙の表面の左側、および、用紙の裏面の右側、および、用紙の裏面の左側のいずれか１つであることを特徴とする情報処理装置。
【請求項２】
前記製本印刷を実行するために予め用意されたプレプリント用紙の情報を前記プリンタに登録する登録手段と、
前記登録手段により登録された１枚のプレプリント用紙に複数の前記特定のページが印刷されることにより前記特定のページの１つが前記プレプリント用紙の背景画像上に配置できない場合に、前記複数の特定のページが異なるプレプリント用紙に印刷されるように白紙ページを挿入する挿入手段を更に有することを特徴とする請求項１に記載の情報処理装置。
【請求項３】
前記製本印刷を行う時にプレプリント用紙が必要になった場合に、その必要になったプレプリント用紙を要求する要求手段と、
前記要求手段の要求に応じてプレプリント用紙を取り込み、前記取り込んだプレプリント用紙の内容をプリンタ内の記憶媒体に保持する保持手段と、
前記プリンタ内の記憶媒体に保持した内容を印刷用紙に印刷してから、印刷データを印字して製本印刷する製本印刷手段とを有することを特徴とする請求項１に記載の情報処理装置。
【請求項４】
プリンタが製本印刷を実行することを示す指示を含む印刷ジョブを生成する情報処理方法であって、
前記製本印刷を実行する時に、プレプリント用紙の背景画像上に配置される特定のページが、配置される位置を特定する特定工程と、
前記特定工程において特定された位置において、前記プレプリント用紙の背景画像上に前記特定のページが印刷されるように、前記プリンタに格納されている複数のプレプリント用紙の中から印刷に使用されるプレプリント用紙を選択する選択工程と、
前記プリンタが前記選択工程において選択されたプレプリント用紙を用いて印刷するような印刷ジョブを生成する生成工程を有し、
前記特定工程において特定される位置は、用紙の表面の右側、および、用紙の表面の左側、および、用紙の裏面の右側、および、用紙の裏面の左側のいずれか１つであることを特徴とする情報処理方法。
【請求項５】
前記製本印刷を実行するために予め用意されたプレプリント用紙の情報を前記プリンタに登録する登録工程と、
前記登録工程において登録された１枚のプレプリント用紙に複数の前記特定のページが印刷されることにより前記特定のページの１つが前記プレプリント用紙の背景画像上に配置できない場合に、前記複数の特定のページが異なるプレプリント用紙に印刷されるように白紙ページを挿入する挿入工程を更に有することを特徴とする請求項４に記載の情報処理方法。
【請求項６】
前記製本印刷を行う時にプレプリント用紙が必要になった場合に、その必要になったプレプリント用紙を要求する要求工程と、
前記要求工程の要求に応じてプレプリント用紙を取り込み、前記取り込んだプレプリント用紙の内容をプリンタ内の記憶媒体に保持する保持工程と、
前記プリンタ内の記憶媒体に保持した内容を印刷用紙に印刷してから、印刷データを印字して製本印刷する製本印刷工程とを有することを特徴とする請求項４に記載の情報処理方法。
【請求項７】
プリンタが製本印刷を実行することを示す指示を含む印刷ジョブを生成する情報処理方法の各工程をコンピュータに実行させる制御プログラムをであって、
前記製本印刷を実行する時に、プレプリント用紙の背景画像上に配置される特定のページが、配置される位置を特定する特定工程と、
前記特定工程において特定された位置において、前記プレプリント用紙の背景画像上に前記特定のページが印刷されるように、前記プリンタに格納されている複数のプレプリント用紙の中から印刷に使用されるプレプリント用紙を選択する選択工程と、
前記プリンタが前記選択工程において選択されたプレプリント用紙を用いて印刷するような印刷ジョブを生成する生成工程をコンピュータに実行させ、
前記特定工程において特定される位置は、用紙の表面の右側、および、用紙の表面の左側、および、用紙の裏面の右側、および、用紙の裏面の左側のいずれか１つであることを特徴とする制御プログラム。
【請求項８】
請求項７に記載の制御プログラムを記憶したことを特徴とするコンピュータ読み取り可能な記憶媒体。
【手続補正２】
【補正対象書類名】明細書
【補正対象項目名】００１３
【補正方法】変更
【補正の内容】
【００１３】
本発明の情報処理装置は、プリンタが印刷ジョブの特定のページを印刷するためにプレプリント用紙を使用し、前記プリンタが製本印刷を実行することを示す指示を含む印刷ジョブを生成する情報処理装置であって、前記製本印刷を実行する時に、前記プレプリント用紙の背景画像上に配置されるページが、配置される位置を特定する特定手段と、前記特定手段によって特定された位置において、前記プレプリント用紙の背景画像上に前記ページの内容を示すデータが印刷されるように、前記プリンタに格納されている複数のプレプリント用紙の中から印刷に使用されるプレプリント用紙を選択する選択手段と、前記プリンタが前記選択手段によって選択されたプレプリント用紙を用いて印刷するような印刷ジョブを生成する生成手段を有し、前記特定手段によって特定される位置は、用紙の表面の右側、および、用紙の表面の左側、および、用紙の裏面の右側、および、用紙の裏面の左側のいずれか１つであることを特徴とする。
【手続補正３】
【補正対象書類名】明細書
【補正対象項目名】００１４
【補正方法】変更
【補正の内容】
【００１４】
本発明の情報処理方法は、プリンタが製本印刷を実行することを示す指示を含む印刷ジョブを生成する情報処理方法であって、前記製本印刷を実行する時に、プレプリント用紙の背景画像上に配置される特定のページが、配置される位置を特定する特定工程と、前記特定工程において特定された位置において、前記プレプリント用紙の背景画像上に前記特定のページが印刷されるように、前記プリンタに格納されている複数のプレプリント用紙の中から印刷に使用されるプレプリント用紙を選択する選択工程と、前記プリンタが前記選択工程において選択されたプレプリント用紙を用いて印刷するような印刷ジョブを生成する生成工程を有し、前記特定工程において特定される位置は、用紙の表面の右側、および、用紙の表面の左側、および、用紙の裏面の右側、および、用紙の裏面の左側のいずれか１つであることを特徴とする。
【手続補正４】
【補正対象書類名】明細書
【補正対象項目名】００１５
【補正方法】変更
【補正の内容】
【００１５】
本発明の制御プログラムは、プリンタが製本印刷を実行することを示す指示を含む印刷ジョブを生成する情報処理方法の各工程をコンピュータに実行させる制御プログラムをであって、前記製本印刷を実行する時に、プレプリント用紙の背景画像上に配置される特定のページが、配置される位置を特定する特定工程と、前記特定工程において特定された位置において、前記プレプリント用紙の背景画像上に前記特定のページが印刷されるように、前記プリンタに格納されている複数のプレプリント用紙の中から印刷に使用されるプレプリント用紙を選択する選択工程と、前記プリンタが前記選択工程において選択されたプレプリント用紙を用いて印刷するような印刷ジョブを生成する生成工程をコンピュータに実行させ、前記特定工程において特定される位置は、用紙の表面の右側、および、用紙の表面の左側、および、用紙の裏面の右側、および、用紙の裏面の左側のいずれか１つであることを特徴とする。
【手続補正５】
【補正対象書類名】明細書
【補正対象項目名】００２４
【補正方法】変更
【補正の内容】
【００２４】
コンピュータモジュール１０１は、ＧＮＵ／ＬＩＮＵＸ（登録商標）やマイクロソフトウィンドウズ（登録商標）のようなオペレーションシステムや、典型的にはオペレーションシステムに従う形。あるいは関連のある技術で知られているもので形成されたコンピュータシステムの常套的なオペレーションモードによる方法によって、相互接続バス１３４を介して通信を行う形。これは、コンピュータモジュール１０１のプロセッサーユニット１３５からＩ／Ｏインターフェース１４３を利用する。図１Ｂに記述した配置コンピュータモジュール１０１の例では、ＩＢＭ互換ＰＣやＳＵＮ社のＳｐａｒｃ Sｔａｔｉｏｎ、あるいはそれらを含んだコンピュータシステムが考えられる。